(57)【要約】  【課題】  リフィールの後端側が径方向に移動できないように規制されているため、リフィールはたわみながら突出することになり、突出した状態においては、そのたわんだ状態が維持されることになる。この突出の過程で、リフィールのインキ収納筒部の前端面と前記先筒の肩部が接触してしまい、その結果、摺動抵抗が発生してしまい、違和感のある突出操作となってしまったり、ややもすると、リフィールが突出できなくなってしまう危険性がある。  【解決手段】  その筆記部の円錐部の表面と軸筒の中心軸線とのなす角度をＡ、筒状部の先端と収納部の先端とを結ぶ直線と軸筒の中心軸線とのなす角度をＢ、前記軸筒の円錐部の内面と軸筒の中心軸線とのなす角度をＣとした時に、前記各々の角度の関係をＡ＞Ｃ＞Ｂとした出没式筆記具。【選択図】  図１０
2010082892.tif 000002
【特許請求の範囲】
【請求項１】
軸筒に複数のリフィルが挿着され、そのリフィルを出没させる押圧部材が配置された出没式筆記具であって、前記軸筒の前方内面を先端開口部に向かって順次縮径する円錐部、並びに、その円錐部の後方をその円錐部よりも大径な拡径部となすと共に、前記リフィルはインキが収容される収納部と、その収納部の前端部に設けられた筆記部とから少なくともなり、その筆記部は前記収容部よりも小径な筒状部と、その筒状部の前端部に先端方向に向けて順次縮径する円錐部を有してなり、その筆記部の収納状態から突出過程において、その筆記部の円錐部の表面と軸筒の中心軸線とのなす角度をＡ、筒状部の先端と収納部の先端とを結ぶ直線と軸筒の中心軸線とのなす角度をＢ、前記軸筒の円錐部の内面と軸筒の中心軸線とのなす角度をＣとした時に、前記各々の角度の関係をＡ＞Ｃ＞Ｂとした出没式筆記具。
【請求項２】
前記筆記部の筒状部を大径筒状部と小径筒状部とから構成すると共に、その大径筒状部の先端と収納部の先端とを結ぶ直線と軸筒の中心軸線とのなす角度をＢとした請求項１記載の出没式筆記具。
【請求項３】
前記拡径部の先端部を円錐部の後端部に連結すると共に、前記拡径部を後方に向けて順次拡径させた請求項１、或いは、請求項２に記載の出没式筆記具。
【発明の詳細な説明】
【技術分野】
【０００１】
本発明は、軸筒に複数のリフィルが挿着され、そのリフィル押圧部材が配置された出没式筆記具に関するものであり、前記リフィルの一例としては、ボールペンのリフィルやシャープペンシルユニットなどが挙げられる。
【背景技術】
【０００２】
１例として、軸筒と、前記軸筒内に収納され、外周がテーパ状に形成されたテーパ面を有するチップをその先端部に有するボールペン用リフィールを少なくとも１本含み、前記軸筒の軸心回りに所定の間隔で配置された複数の筆記用芯と、前記軸筒の先端側に装着され、前記内周面側において前記筆記用芯の移動を案内する先筒と、前記軸筒の後端側に設けられるノック体を有するノック機構とを備え、前記ノック体を操作することにより前記筆記用芯を選択的に先筒から突出させ、かつ、他の筆記用芯を突出させるのに連動して先に突出している芯を収容させることができる多芯式筆記具において、前記内周面は、前記複数の筆記用芯が形成する最大径円の径より大きい径を備えた大径部と、前記大径部より小さい径を備えた、後端部から先端側に向かって前記チップのテーパ角度と同じもしくはそれより小さいテーパ角度で縮径するテーパ部と、前記大径部の前端部と前記テーパ部の後端部の間で広がる肩部とを備え、前記テーパ部と前記肩部との境界線が前記先筒の半径方向において前記チップの前記テーパ面上に位置する多芯式筆記具が知られている。
【特許文献１】特開２００８−１６２２４６号公報。
【発明の開示】
【発明が解決しようとする課題】
【０００３】
上記従来技術は、選択したリフィールが突出した際、他のリフィールのインキ収納筒部が移動できるように肩部が形成されており、且つ、チップの先端が肩部に当たらないように、そのチップの先端部が先筒内面のテーパー部よりも中心方向に位置している。
しかしながら、実際には、リフィールの後端側が径方向に移動できないように規制されているため、リフィールはたわみながら突出することになり、突出した状態においては、そのたわんだ状態が維持されることになる。この突出の過程で、リフィールのインキ収納筒部の前端面と前記先筒の肩部が接触してしまい、その結果、摺動抵抗が発生してしまい、違和感のある突出操作となってしまったり、ややもすると、リフィールが突出できなくなってしまう危険性がある。
また、仮に、リフィールを突出させることができたとしても、没入操作の際、他のリフィールによって先筒の内面に押し付けられてしまう危険性があり、強いては、没入しない場合が発生してしまう。
【課題を解決するための手段】
【０００４】
そこで、本発明は、軸筒に複数のリフィルが挿着され、そのリフィルを出没させる押圧部材が配置された出没式筆記具であって、前記軸筒の前方内面を先端開口部に向かって順次縮径する円錐部、並びに、その円錐部の後方をその円錐部よりも大径な拡径部となすと共に、前記リフィルはインキが収容される収納部と、その収納部の前端部に設けられた筆記部とから少なくともなり、その筆記部は前記収容部よりも小径な筒状部と、その筒状部の前端部に先端方向に向けて順次縮径する円錐部を有してなり、その筆記部の収納状態から突出過程において、その筆記部の円錐部の表面と軸筒の中心軸線とのなす角度をＡ、筒状部の先端と収納部の先端とを結ぶ直線と軸筒の中心軸線とのなす角度をＢ、前記軸筒の円錐部の内面と軸筒の中心軸線とのなす角度をＣとした時に、前記各々の角度の関係をＡ＞Ｃ＞Ｂとしたことを要旨とする。
【発明の効果】
【０００５】
本発明は、軸筒に複数のリフィルが挿着され、そのリフィルを出没させる押圧部材が配置された出没式筆記具であって、前記軸筒の前方内面を先端開口部に向かって順次縮径する円錐部、並びに、その円錐部の後方をその円錐部よりも大径な拡径部となすと共に、前記リフィルはインキが収容される収納部と、その収納部の前端部に設けられた筆記部とから少なくともなり、その筆記部は前記収容部よりも小径な筒状部と、その筒状部の前端部に先端方向に向けて順次縮径する円錐部を有してなり、その筆記部の収納状態から突出過程において、その筆記部の円錐部の表面と軸筒の中心軸線とのなす角度をＡ、筒状部の先端と収納部の先端とを結ぶ直線と軸筒の中心軸線とのなす角度をＢ、前記軸筒の円錐部の内面と軸筒の中心軸線とのなす角度をＣとした時に、前記各々の角度の関係をＡ＞Ｃ＞Ｂとしたので、良好な筆記体の出没動作が得られる。
【発明を実施するための最良の形態】
【０００６】
作用について説明する。筆記部の収納状態から突出過程において、その筆記部の円錐部の表面と軸筒の中心軸線とのなす角度をＡ、筒状部の先端と収納部の先端とを結ぶ直線と軸筒の中心軸線とのなす角度をＢ、前記軸筒の円錐部の内面と軸筒の中心軸線とのなす角度をＣとした時に、前記各々の角度の関係をＡ＞Ｃ＞Ｂとしたので、筆記部の先端が軸筒の円錐部に接触することはなく（Ａ＞Ｃの関係により。）、また、収納部の先端部も円錐部と拡径部との連結部分に接触することがない（Ｃ＞Ｂの関係により。）。
【０００７】
軸本体１は、前軸２と後軸３とから構成されている。その前軸２は中軸４と先部材５とから構成されているが、それら中軸４と先部材５は、螺合などの出段によって着脱自在に取り付けられている。その先部材５の前方部は、前端に向けて先細りとなっており、その内面も前端に向けて縮径した円錐部５ａとなっている。その円錐部５ａの後方には、拡径部５ｂが形成されており、その拡径部５ａは後方に向けて順次拡径した円錐部となっているが、前記拡径部５ａを円筒形の拡径部としてもよい。
前記後軸３には、その長手方向に３個のスリット６が形成されている。本例においては、３個のスリット６が形成されているが、筆記体であるボールペンリフィルの数が3本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外側に円弧部を有する扇形をした脚部８が形成されている。この脚部８は、スリット６が形成されることにより形成される。よって、筆記体の数によって脚部８の数は変わる。その脚部８の外接円径は、後軸３の最大外径よりも小さく形成されている。
符号９は、後軸３に一体的に形成されたクリップ部であるが、別部材で構成し後軸３に固定などしても良い。符号１０は、前記クリップ部９の前方内面に形成された玉部であって、その玉部１０は前記中軸５の表面に当接している。
【０００８】
前記後軸３のスリット６には、透明、或いは、着色された半透明な材質からなるスライダー１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、また、スライダー１１の前方の内側には、長手方向に孔１１ａが形成されている。その孔１１ａの正面方向から見て内面には、平面部１１ｂが形成されており、その平面部１１ｂに対応するスライダー１１の外面には円弧状の曲面部１１ｃが形成されている。これら内面に形成された平面部１１ｂと外面に形成された曲面部１１ｃとによって光の屈折が発生しレンズ効果が得られるようになっている。
そして、スライダー１１の孔１１ａには、後述する筆記体に収納されるインキの色とほぼ同色な色を有した継ぎ手部材１５の一端部が着脱自在に挿着されており、その継ぎ手部材１５の他端部には、ポリプロピレンやナイロンなどの樹脂材質からなる円筒状のボールペンリフィル１６が接続されている。
尚、そのボールペンリフィル１６は、インキを収容するポリプロピレンなどの樹脂材質で押し出し成型によって形成されたインキ収容管１６ａと、そのインキ収容管１６ａの前方に圧入されたボールペンチップ１６ｂから構成されている。そのボールペンチップ１６ｂは、インキ収容管１６ａの前端部に位置する大径筒状部１６ｃとその大径筒状部１６ｃの前端に形成された小径筒状部１６ｄ、並びに、その小径筒状部１６ｄの前端に形成された前方に向かって順次縮径した円錐部１６ｅ、そして、その円錐部１６ｅの前端に回転自在に取り付けられたボール１６ｆから構成されている。尚、前記大径筒状部１６ｃとその大径筒状部１６ｃの前端に形成された小径筒状部１６ｄは、前方に向かって順次縮径する円錐部１６ｉによって連結されている。
【０００９】
ここで、このボールペンチップ１６ｂの収納状態から突出過程、並びに、突出状態において、そのボールペンチップ１６ｂの円錐部１６ｅの傾斜した外側に位置する表面と軸本体１の中心軸線Ｘとのなす角度をＡ、大径筒状部１６ｃの先端１６ｇとインキ収容管１６ａの先端１６ｈとを結ぶ直線と軸本体１の中心軸線Ｘとのなす角度をＢ、前記軸本体１の円錐部５ａの内面と軸本体１の中心軸線Ｘとのなす角度をＣとした時に、ボールペンチップ１６ｂの円錐部１６ｅの表面と軸本体１の中心軸線Ｘとのなす角度Ａは、軸本体１の円錐部５ａの内面と軸本体１の中心軸線Ｘとのなす角度Ｃよりも大きくなるように形成されており、また、大径筒状部１６ｃの先端１６ｇとインキ収容管１６ａの先端１６ｈとを結ぶ直線軸本体１の中心軸線Ｘとのなす角度Ｂは、前記軸本体１の円錐部５ａの内面と軸本体１の中心軸線Ｘとのなす角度Ｃよりも小さくなるように形成されている。即ち、前記各々の角度の関係はＡ＞Ｃ＞Ｂとなっている（図３→図８→図９参照）。
つまり、ボールペンチップ１６ｂの収納状態から突出過程、並びに、突出状態において、ボールペンチップ１６ｂの円錐部１６ｅの傾斜した外側に位置する表面と軸本体１の中心軸線Ｘとのなす角度Ａを軸本体１の円錐部５ａの内面と軸本体１の中心軸線Ｘとのなす角度Ｃよりも大きくすることによって、ボールペンチップ１６ｂのボール１６ｆの軸筒１の円錐部５ａに対する接触が防止され、また、大径筒状部１６ｃの先端１６ｇとインキ収容管１６ａの先端１６ｈとを結ぶ直線軸本体１の中心軸線Ｘとのなす角度Ｂを前記軸本体１の円錐部５ａの内面と軸本体１の中心軸線Ｘとのなす角度Ｃよりも小さくすることによって、インキ収容管１６ａの先端１６ｈの、軸筒１の円錐部５ａと拡径部５ｂとの連結部５ｃに対する接触が防止されるのである。
【００１０】
この時、収納状態にあるボールペンチップ１６ｂの、大径筒状部１６ｃと小径筒状部１６ｄを連結する円錐部１６ｉの表面と軸本体１の中心軸線Ｘとのなす角度Ｅは、拡開部５ｃと軸本体１の中心軸線Ｘとのなす角度Ｄよりも大きくなるよう形成されているものの、拡径部５ａと円錐部５ｂとの連結部５ｃと大径筒状部１６ｃの前端部とを結ぶ直線と、軸本体１の中心軸線Ｘとのなす角度Ｆよりも小さくなるように形成されている。即ち、前記各々の角度の関係はＥ＞Ｄ＞Ｆとなっている。このような角度を設定することによって、突出状態にあるボールペンリフィル１６を他の収納状態にあるボールペンリフィル１６によって収納させようとした際、そのボールペンルフィル１６のインキ収容管１６ａの先端部１６ｈが前記先部材５の拡径部５ｂに当接することなく、即ち、収納状態にあるボールペンリフィル１６が突出状態のボールペンリフィル１６に接触し、拡径部５ｂの方向に移動させられるが当接することがなくスムーズに前進することができ、これによって、容易に突出状態にあるボールペンリフィル１６（ボールペンチップ１６ｂ）を収納することができる（図１１、図１２参照）。
尚、前記スライダー１１は、透明、或いは、着色された半透明な材質で形成されているため、その内部に位置する前記継ぎ手部材１５の色を容易に識別することができる。これに加え、スライダー１１には平面部１１ｂと曲面部１１ｃが形成されているため、それによって得られるレンズ効果によって、前記接続部材１５の色をさらに容易に識別することができるようになる。
また、前記スライダー１１の継ぎ手部材１５に対する挿着力（嵌合力）は、ボールペンリフィル１６（インキ収容管１６ａ）の継ぎ手部材１５に対する挿着力（嵌合力）よりも弱く設定されている。即ち、ボールペンリフィル１６をスライダー１１に対して離脱させようとすると、ボールペンリフィル１６と継ぎ手部材１５が連結された状態でスライダー１１から離脱する。
尚、インキ収納管１６ａの材質より、継ぎ手部材１５の材質を硬くしている。具体的には、インキ収容管１６ａの材質としてポリプロピレンを使用しており、継ぎ手部材１５の材質としてはポリオキシメチレン（アセタール）を使用している。継ぎ手部材１５を硬い材質にすることによって、インキ収容管１６ａに対する嵌合力の経時的な低下を極力防止しているのである。また、継ぎ手部材１５の材質としてポリオキシメチレン（アセタール）を使用しているが、ポリカーボネートやアクリロニトリルブタジエンスチレン共重合体、アクリロニトリルスチレン共重合体、ポリメタクリル酸メチル（アクリル）、ポリエチレンテレフタレート、ポリブチレンテレフタレートなどであっても良いが、スライダー１１のインキ収容管１６ａの嵌合部における摺動性や抜き差しの繰り返しによる耐久性を考慮するとポリオキシメチレン（アセタール）が最も好ましい。
参照符号１７は、ボールペンリフィル１６並びにボールペンリフィル１６に接続するスライダー１１を後方に付勢するコイルスプリングなどの弾撥部材である。
【００１１】
前記前軸２の１部材である中軸５の中間部には、規制部１８が形成されており、その規制部１８には、筆記体１６が遊挿する３つの貫通孔１９が形成されており、前記規制部１８に弾撥部材１７の一端を係止させることにより、ボールペンリフィル１６を後方に付勢している。また、中軸５の内側で、規制部１８の後方には、長手方向に3つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外側に円弧部を有する扇形となっている。
【００１２】
第２例を図１３〜図１６に示し説明する。前例においては、ボールペンチップ１６ｂに大径筒状部１６ｃと小径筒状部１６を形成したが、この第２例においては、大径筒状部を前方に延設し（大径筒状部２１）、その大径部２１の前端に前方に向かって順次縮径した円錐部２２を形成している。そして、その円錐部２２の前端に回転自在にボール２３を取り付けている。
本例においてもボールペンチップ１６ｂの収納状態から突出過程、並びに、突出状態において、そのボールペンチップ１６ｂの円錐部２２の傾斜した外側に位置する表面と軸本体１の中心軸線Ｘとのなす角度をＡ、大径筒状部２１の先端２１ａとインキ収容管１６ａの先端１６ｈとを結ぶ直線と軸本体１の中心軸線Ｘとのなす角度をＢ、前記軸本体１の円錐部５ａの内面と軸本体１の中心軸線Ｘとのなす角度をＣとした時に、ボールペンチップ１６ｂの円錐部２２の傾斜した外側に位置する表面と軸本体１の中心軸線Ｘとのなす角度Ａは、軸本体１の円錐部５ａの内面と軸本体１の中心軸線Ｘとのなす角度Ｃよりも大きくなるように形成されており、また、大径筒状部２１の先端２１ａとインキ収容管１６ａの先端１６ｈとを結ぶ直線と軸本体１の中心軸線Ｘとのなす角度Ｂは、前記軸本体１の円錐部５ａの内面と軸本体１の中心軸線Ｘとのなす角度Ｃよりも小さくなるように形成されている。即ち、前記各々の角度の関係はＡ＞Ｃ＞Ｂとなっている（図１３→図１４→図１５参照）。
【図面の簡単な説明】
【００１３】
【図１】本発明の１例を示す外観正面図。
【図２】図１の側面図。
【図３】図２の縦断面図。
【図４】図１の上面図。
【図５】図１のＸ−Ｘ線断面図。
【図６】図１のＹ−Ｙ線断面図。
【図７】図１のＺ−Ｚ線断面図。
【図８】動作を示す縦断面図。
【図９】動作を示す縦断面図。
【図１０】図９の要部拡大図。
【図１１】収納過程を示す縦断面図。
【図１２】図１１の要部拡大図。
【図１３】第２例を示す縦断面図。
【図１４】動作を示す縦断面図。
【図１５】動作を示す縦断面図。
【図１６】図１４の要部拡大図。
【符号の説明】
【００１４】
１      軸本体
２      前軸
３      後軸
４      先部材
５      中軸
６      スリット
７      摺動溝
８      脚部
９      クリップ部
１０    玉部
１１    スライダー
１２    摺動突起
１３    解除突起
１４    解除突起
１５    継ぎ手部材
１６    ボールペンリフィル
１７    弾撥部材
１８    規制部
１９    貫通孔
２０    溝部
２１    大径筒状部
２２    円錐部
２３    ボール
【図１】
2010082892.tif 000003
【図２】
2010082892.tif 000004
【図３】
2010082892.tif 000005
【図４】
2010082892.tif 000006
【図５】
2010082892.tif 000007
【図６】
2010082892.tif 000008
【図７】
2010082892.tif 000009
【図８】
2010082892.tif 000010
【図９】
2010082892.tif 000011
【図１０】
2010082892.tif 000012
【図１１】
2010082892.tif 000013
【図１２】
2010082892.tif 000014
【図１３】
2010082892.tif 000015
【図１４】
2010082892.tif 000016
【図１５】
2010082892.tif 000017
【図１６】
2010082892.tif 000018